(57)【要約】【課題】セキュリティを向上させることができるファスナー用のダイヤル式符号錠を提供する。【解決手段】ファスナー用のダイヤル式符号錠は、複数の符号ダイヤル１０，１１，１２と、各符号ダイヤル内に嵌合され、係合溝を設けたブッシュ１３，１４，１５と、ブッシュ内に移動可能に挿入され、複数の符号ダイヤルのブッシュの係合溝に対応して凸部を外周部に設け、軸方向に移動可能な作動軸４とを、本体ケース２内に備える。本体ケース２に設けた挿入穴２０に、ファスナーのスライダ１８を挿入して、スライダ１８を挿入穴２０内でロックする。【選択図】図４
2018071222.tif 000002
【特許請求の範囲】
【請求項１】
複数の符号ダイヤルと、各符号ダイヤル内に嵌合され、係合溝を設けたブッシュと、該ブッシュ内に挿入され、複数の符号ダイヤルのブッシュの係合溝に対応して凸部を外周部に設け、該符号ダイヤルの解錠角度位置に応じて、軸方向に移動可能な作動軸とを、本体ケース内に備え、
該本体ケースに設けた挿入穴にファスナーのスライダを挿入して、該スライダを挿入穴内でロックするファスナー用のダイヤル式符号錠であって、
該本体ケース内に移動部材が該作動軸の軸方向に移動可能に配設され、該作動軸には、ボタン部が該本体ケースから突出可能に設けられるとともに、該移動部材と係合する係合アームが設けられ、
該本体ケースの挿入穴の近傍に該スライダをロックするロック部材が回動可能に枢支され、該ロック部材には、該移動部材の移動を阻止する移動阻止部が設けられるとともに、該スライダを係止する係止部が設けられ、
該符号ダイヤルの解錠位置で該ボタン部を押したとき、該移動部材が移動して該ロック部材の該移動阻止部が該移動部材から外れ、該ロック部材の回動が可能となって該係止部による該スライダのロックが解除され、該符号ダイヤルの角度位置に関らず、該スライダを該挿入穴に挿入したとき、該スライダが該ロック部材の係止部に係止されてロックされることを特徴とするファスナー用のダイヤル式符号錠。
【請求項２】
前記本体ケース内に、ダイヤル保持部材が設けられ、該ダイヤル保持部材には、前記符号ダイヤルを回動可能に保持するダイヤル保持部が設けられ、該ダイヤル保持部材の下部に、前記移動部材を移動可能に保持する移動部材保持部が設けられたことを特徴とする請求項１記載のファスナー用のダイヤル式符号錠。
【請求項３】
前記作動軸と前記ブッシュ間に、バネ部材が装着され、該作動軸が該バネ部材により該ボタン部を突出する方向に付勢されるとともに、該ブッシュが前記符号ダイヤル内の嵌合位置に付勢されることを特徴とする請求項１記載のファスナー用のダイヤル式符号錠。
【請求項４】
前記ロック部材に、該ロック部材のロックを解錠する方向に付勢するバネ部材が装着され、前記移動部材には、前記挿入穴側に該移動部材を付勢するバネ部材が装着されたことを特徴とする請求項１記載のファスナー用のダイヤル式符号錠。
【発明の詳細な説明】
【技術分野】
【０００１】
本発明は、鞄などのファスナーを施錠するファスナー用のダイヤル式符号錠に関し、特に、符号ダイヤルを解錠符合に合せずに施錠することができる、セキュリティ性の高いファスナー用のダイヤル式符号錠に関する。
【背景技術】
【０００２】
従来、ダイヤル式符号錠として、下記特許文献１に記載の構造の符号錠が、広く汎用的に広く使用されている。
【先行技術文献】
【特許文献】
【０００３】
【特許文献１】特開平６−２７２４４３号公報
【発明の概要】
【発明が解決しようとする課題】
【０００４】
上記ダイヤル式符号錠は、作動軸の外周部に、複数の符号ダイヤルに対応して凸部を形成し、作動軸の外周部に、内周部にブッシュを嵌合させた複数の符号ダイヤルが外嵌される。ブッシュの内周面には、上記作動軸の凸部に対応して係合溝が設けられ、ブッシュは符号ダイヤルの内側にともに回動可能に嵌合される。解錠する場合、複数の符号ダイヤルを解錠符号に合わせると、各ブッシュ内の係合溝と作動軸の凸部との円周角度位置が一致し、作動軸が軸方向に移動可能となり、解錠される構造である。
【０００５】
ところで、この種のダイヤル式符号錠は比較的構造が簡単で、低コストで製造することができ、且つキーが不要であるため、ユーザーには非常に簡便に使用することができる。そこで、この種のダイヤル式符号錠を、鞄を開閉するファスナー用の符号錠として、使用する要望があり、ファスナーで開閉する鞄にダイヤル式符号錠を取り付けて、ファスナーのスライダを施錠することが検討された。
【０００６】
しかしながら、ファスナーを有する鞄用の施錠具として、ダイヤル式符号錠を鞄のファスナーの端部に取り付け、ファスナーのスライダを、符号錠の施錠挿入穴に挿入して、施錠する構造を検討した場合、スライダを施錠挿入穴に挿入したとき、作動軸が移動する必要がある。このため、この種のダイヤル式符号錠は、施錠時、複数の符号ダイヤルは解錠位置に合せておく必要があり、鞄のユーザーは、鞄に鍵をかけない場合、符号ダイヤルを解錠位置のままにしておく場合が多い。
【０００７】
つまり、ダイヤル式符号錠を解錠する場合、必然的に複数の符号ダイヤルを解錠位置に合せて解錠することになるため、鞄のユーザーは、鞄の鍵をかけずにダイヤル式符号錠を使用しない場合でも、符号ダイヤルを解錠位置としている場合が多いと推測される。
【０００８】
このため、従来のダイヤル式符号錠を、鞄のファスナー用の施錠具として取り付けた場合、例えば鞄を運搬する搬送業者などの他人が、解錠位置にある符号ダイヤルの解錠符号列を見るケースが多くなり、ファスナー用ダイヤル式符号錠のセキュリティが低下する課題があった。
【０００９】
本発明は、上記の点に鑑みなされたもので、セキュリティを向上させることができるファスナー用のダイヤル式符号錠を提供することを目的とする。
【課題を解決するための手段】
【００１０】
本発明に係るファスナー用のダイヤル式符号錠は、複数の符号ダイヤルと、各符号ダイヤル内に嵌合され、係合溝を設けたブッシュと、該ブッシュ内に挿入され、複数の符号ダイヤルのブッシュの係合溝に対応して凸部を外周部に設け、該符号ダイヤルの解錠角度位置に応じて、軸方向に移動可能な作動軸とを、本体ケース内に備え、該本体ケースに設けた挿入穴にファスナーのスライダを挿入して、該スライダを挿入穴内でロックするファスナー用のダイヤル式符号錠であって、
該本体ケース内に移動部材が該作動軸の軸方向に移動可能に配設され、該作動軸には、ボタン部が該本体ケースから突出可能に設けられるとともに、該移動部材と係合する係合アームが設けられ、
該本体ケースの挿入穴の近傍に該スライダをロックするロック部材が回動可能に枢支され、該ロック部材には、該移動部材の移動を阻止する移動阻止部と該スライダを係止する係止部が設けられ、
該符号ダイヤルの解錠位置で該ボタン部を押したとき、該移動部材が移動して該ロック部材の該移動阻止部が該移動部材から外れ、該ロック部材の回動が可能となって該係止部による該スライダのロックが解除され、該符号ダイヤルの角度位置に関らず、該スライダを該挿入穴に挿入したとき、該スライダが該ロック部材の係止部に係止されてロックされることを特徴とする。
【００１１】
この発明のダイヤル式符号錠によれば、符号ダイヤルの位置に関らず、スライダを挿入穴に挿入したとき、スライダがロック部材の係止部に係止されてロックされるので、ユーザーは、施錠するときを考慮して符号ダイヤルを解錠符号列に合せておかなくても、スライダを差し込むだけで、簡単に施錠することができる。
【００１２】
このため、例えば鞄のファスナーのスライダを施錠するために符号錠を取り付けた場合、その鞄のユーザーは、解錠した後、符号ダイヤルをランダム位置に回しておいても、何ら不便とはならない。このため、このダイヤル式符号錠を取り付けた鞄などのユーザーは、解錠した後、符号ダイヤルをランダムに回す習慣がつき、鍵をかけずに鞄を放置し、他人に符号ダイヤルの配列を見られたとしても、その配列は解錠符号の配列とは無関係となり、セキュリティ性を高めることができる。
【００１３】
ここで、上記本体ケース内に、ダイヤル保持部材が設けられ、該ダイヤル保持部材には、上記符号ダイヤルを回動可能に保持するダイヤル保持部が設けられ、該ダイヤル保持部材の下部には、上記移動部材を移動可能に保持する移動部材保持部が配置される構成とすることが好ましい。
【００１４】
また、上記作動軸と上記ブッシュ間に、バネ部材が装着され、該作動軸が該バネ部材により該ボタン部を突出する方向に付勢されるとともに、該ブッシュが前記符号ダイヤル内の嵌合位置に付勢される構成とすることが好ましい。また、上記ロック部材に、該ロック部材のロックを解錠する方向に付勢するバネ部材が装着され、上記移動部材には、上記挿入穴側に該移動部材を付勢するバネ部材が装着される構成とすることが好ましい。
【発明の効果】
【００１５】
この発明のファスナー用のダイヤル式符号錠によれば、他人に解錠符号列を見られることが少なくなり、セキュリティを向上させることができる
【図面の簡単な説明】
【００１６】
【図１】本発明の一実施形態を示すダイヤル式符号錠の正面図である。
【図２】同ダイヤル式符号錠の平面図である。
【図３】同ダイヤル式符号錠の左側面図である。
【図４】同ダイヤル式符号錠の斜視図である。
【図５】図２のV-V断面図である。
【図６】ダイヤル式符号錠の分解斜視図である。
【図７】作動軸、符号ダイヤル、ブッシュ類の分解斜視図である。
【図８】作動軸、符号ダイヤル類を除く、本体ケース、ロック部材、移動部材、及び基板等の分解断面図である。
【図９】作動軸、符号ダイヤル、ブッシュ類の分解断面図である。
【図１０】使用状態を示す斜視図である。
【図１１】施錠する際の動作を示す断面説明図である。
【図１２】解錠する際の動作を示す断面説明図である。
【発明を実施するための形態】
【００１７】
以下、本発明の一実施形態を図面に基づいて説明する。この符号錠は、図１〜図４に示すように、ファスナーのスライダ１８を施錠するファスナー用のダイヤル式符号錠であり、本体ケース２の上部に、３個の符号ダイヤル１０，１１，１２が配設され、その左側に解錠用のボタン部４０が押し込み可能に設けられ、本体ケース２の左端部にスライダ１８を差し込むための、挿入穴２０が形成される。なお、３個の符号ダイヤル１０，１１，１２は、２個或いは４個以上とすることもでき、また、スライダ１８は、スライダまたはスライダに連結された連結部材を含む概念である。
【００１８】
ダイヤル式符号錠は、概略的には、本体ケース２内に、３個の符号ダイヤル１０，１１，１２と、各符号ダイヤル内に嵌合され、係合溝４３を設けたブッシュ１３，１４，１５と、ブッシュ内に移動可能に挿入され、符号ダイヤルの各ブッシュ１３，１４，１５の係合溝４３に対応して、凸部４２を外周部に設け、軸方向に移動可能な作動軸４と、作動軸４の軸方向に移動可能に配設された移動部材３と、挿入穴２０内近傍に回動可能に枢支され、スライダ１８をロックするロック部材６と、を備えて構成される。
【００１９】
図８に示すように、本体ケース２の上部には、符号ダイヤル１０，１１，１２の一部を露出（突出）させるダイヤル用開口２１が形成され、その左側には、作動軸４の末端に設けたボタン部４０を突出させるための、ボタン用開口２３が設けられる。本体ケース２の底部は開口し、底部開口を閉鎖するように基板９が、本体ケース２内にダイヤル保持部材５、移動部材３、ロック部材６などを組み付けた状態で、本体ケース２の底部に嵌着される。
【００２０】
符号錠は、図９に示すように、作動軸４の外周部に、３個の符号ダイヤル１０，１１，１２に対応して凸部４２が突設され、作動軸４の外周部に、内周部にブッシュ１３，１４，１５を嵌合させた３個の符号ダイヤル１０，１１，１２が外嵌される。さらに、各ブッシュ１３，１４，１５の内周面には、作動軸４の凸部４２に対応して係合溝４３が設けられ、ブッシュ１３，１４，１５は符号ダイヤル１０，１１，１２の内側に、ともに回動可能に嵌合されて構成される。
【００２１】
図７に示すように、符号ダイヤル１０，１１，１２の外周部には、所定の角度間隔で複数の符号が付され、ブッシュ１３，１４，１５の外周部には、所定の角度間隔で、複数の係合凸部４４が形成され、その係合凸部４４に対応して、符号ダイヤル１０，１１，１２の内周部に係合凹部が形成され、符号ダイヤル１０，１１，１２とブッシュ１３，１４，１５は、各々、係合凹部と係合凸部４４とを介して嵌合する。
【００２２】
また、ブッシュ１３と符号ダイヤル１０，ブッシュ１４と符号ダイヤル１１、或いはブッシュ１５と符号ダイヤル１２の嵌合角度位置は、各々変更することができ、これにより、解錠符号列が変更される。
【００２３】
解錠符号列を変える場合、図５に示すように、本体ケース２の左側壁に設けた小孔２９から、ピン棒を差し込み、ブッシュ１５を左側に押す。符号ダイヤル１０，１１，１２の左右方向の位置は、本体ケース２により規制されるので、ブッシュ１３，１４，１５のみが左方向に移動して、符号ダイヤル１０，１１，１２との係合が外れる。このため、符号ダイヤル１０，１１，１２を任意の位置に回して解錠符号列を変えた後、ピン棒を外せば、バネ部材７によりブッシュ１３，１４，１５が、元の位置に戻され、符号ダイヤル１０，１１，１２と係合し、解錠符号列の変更がなされる。
【００２４】
３個の符号ダイヤル１０，１１，１２は、図６に示すように、作動軸４に外嵌された状態で、ダイヤル保持部材５により、所定位置に間隔をおいて、回動操作可能に保持される。ダイヤル保持部材５には、所定位置に間隔をおいて符号ダイヤルを保持する溝状のダイヤル保持部５０が設けられ、底部には、移動部材３を移動可能に保持する移動部材保持部５１が設けられる。この符号錠は、従来のもの同様、符号ダイヤル１０，１１，１２を解錠符号に合わせると、各ブッシュ１３，１４，１５内の係合溝４３と作動軸４の凸部４２との円周角度位置が一致し、作動軸４が軸方向に移動可能となる。
【００２５】
つまり、符号ダイヤル１０，１１，１２が解錠符号列に揃って解錠状態となれば、作動軸４は、図１２のように、その左端部のボタン部４０を押して押し込み可能となる。符号ダイヤル１０，１１，１２が解錠符号列に揃わない施錠状態の場合、図１１の示すように、作動軸４はボタン部４０を突出した状態でロックされる。
【００２６】
図５などに示す如く、作動軸４の左端部には、ボタン部４０が設けられ、ボタン部４０の下側に係合アーム４１が軸と直角に延設される。作動軸４には、ボタン部４０をボタン用開口２３から突き出すように付勢するバネ部材（テーパ型コイルばね）７が装着される。また、このバネ部材７により、ブッシュ１３と符号ダイヤル１０，ブッシュ１４と符号ダイヤル１１、及びブッシュ１５と符号ダイヤル１２が、適正な嵌合位置に付勢され、保持される。
【００２７】
図６，８に示すように、基板９上には、板状の移動部材３が、作動軸４の軸方向と平行に移動可能に配置され、その上部に配設されたダイヤル保持部材５の移動部材保持部５１内に摺動可能に保持される。移動部材３の右端部には、バネ保持部３１が設けられ、このバネ保持部３１内にバネ部材（コイルばね）８が装着され、移動部材３はバネ部材８によりロック部材６側（左側）に付勢される。移動部材３の左側端部には、係止部３０が設けられ、移動部材３の左側に隣接するロック部材６の移動阻止部６１が、この係止部３０に係止可能な構造である。さらに、図５に示す如く、移動部材３には、係合穴３２が設けられ、上記作動軸４から下側に突設された係合アーム４１が、この係合穴３２に係合し、解錠時に作動軸４のボタン部４０を押し込んだとき、作動軸４の動きを移動部材３に伝達し、移動部材３をロック部材６から離す方向（右側）に移動させる構造である。
【００２８】
ロック部材６は、図５、６に示すように、本体ケース２内の左端部つまり移動部材３の左側に、配置され、両側に突設された支軸６０を軸に、上下に回動可能に軸支される。ロック部材６の両側の支軸６０は、図８に示すように、本体ケース２内に設けた軸受部２２に嵌入され、基板９が本体ケース２の底部に嵌着された状態で、基板９上に設けた支持板と軸受部２２により、支軸６０は保持される。
【００２９】
ロック部材６は、図１１に示すように、ファスナーのスライダ１８をロックする部材であり、ロック部材６の下部には、上記移動部材３の左端の係止部３０を係止し移動を阻止する移動阻止部６１が設けられ、移動阻止部６１の左側つまり挿入穴２０側に、スライダ１８用の係止部６２が設けられる。ロック部材６には、図５の時計方向にロック部材６を付勢するバネ部材（トーションバネ）６３が装着される。
【００３０】
ロック部材６の移動阻止部６１は、図１１に示すように、段差をもって切欠かれた切欠凹部形状を有し、ロック部材６が図１１の下図に示すようにロック位置に回動したとき、移動部材３の先端の係止部３０が切欠凹部状の移動阻止部６１に嵌入して、ロック部材６がスライダ１８をロックする状態、つまり施錠状態となる構造である。
【００３１】
このために、ロック部材６は、常時、バネ部材６３により時計方向に付勢され、図１１に示すように、スライダ１８を挿入穴２０に差し込んだとき、ロック部材６はバネ部材６３の付勢力に抗して反時計方向に回動し、ロック部材６の下部の係止部６２をスライダ１８に係止させ、係止部６２の右側の移動阻止部６１を移動部材３の先端の係止部３０に係止させるようになっている。
【００３２】
なお、図１０に示すように、ファスナーのスライダ１８には、係止穴１８ａが形成され、ロック部材６の係止部６２は、この係止穴１８ａに係止されて、移動部材３をロックする構造である。
【００３３】
上記構成のダイヤル式符号錠は、図１０に示すように、鞄のファスナーの端部位置に取り付けられ、その挿入穴２０がファスナーの端部で、スライダ１８側を向く形態で、鞄に固定される。この実施形態では、鞄を使用しているが、ファスナーで開閉される構造のものであれば、鞄以外の収納容器などで使用されるファスナーに適用することもできる。
【００３４】
図１１の上図に示すように、このダイヤル式符号錠は、解錠状態で、ロック部材６がその係止部６２を係止可能な状態に保持され、ファスナーのスライダ１８を差し込んで施錠することが可能である。さらにこのとき、符号錠の符号ダイヤル１０，１１，１２は、作動軸４が図１１の左側に移動した位置（ボタン部４０を突出した位置）にあり、内側のブッシュ１３，１４，１５とともに自在に回動操作可能な状態である。
【００３５】
このため、ユーザーは、ダイヤル式符号錠の解錠符号配列に関係なく、スライダ１８を差し込んで施錠することができるので、符号ダイヤル１０，１１，１２を任意の位置に回すことができる。したがって、ユーザーは、施錠時の符号配列を考えずに、符号ダイヤル１０，１１，１２を、解錠符号列でない角度位置に、ランダムに回しておくことを、習慣付けることができる。
【００３６】
これにより、ファスナーが施錠されず解錠状態であっても、運搬業者などの他人に、ダイヤル式符号錠の解錠符号列を見られるケースが少なくなり、ダイヤル式符号錠のセキュリティを高めることができる。
【００３７】
一方、鞄のファスナーを施錠する場合、図１０、図１１に示すように、ユーザーはファスナーのスライダ１８を、錠本体１の挿入穴２０内に差し込む。このとき、スライダ１８の先端がロック部材６の下部に当たり、ロック部材６を図の反時計方向に、バネ部材６３の付勢力に抗して回動させる。これにより、ロック部材６が図１１の下図まで回動すると、図の左方向に付勢されている移動部材３が左方向に移動し、移動部材３の先端の係止部３０が、ロック部材６の移動阻止部６１に嵌合し、ロックされて施錠状態なる。このようなスライダ１８の施錠動作は、符号ダイヤル１０，１１，１２の位置とは無関係に行われる。
【００３８】
ファスナーを解錠する場合、図１２に示すように、ユーザーは符号ダイヤル１０，１１，１２を、所定の解錠符号列に合せた状態で、ボタン部４０を押す。解錠符号列を合せたことにより、各符号ダイヤル１０，１１，１２内のブッシュ１３，１４，１５内の係合溝４３と作動軸４の凸部４２の角度位置が一致する。これにより、作動軸４が移動可能な状態となっており、ボタン部４０を押すことにより、作動軸４がバネ部材７に付勢力に抗して、図１２の右方向に移動する。
【００３９】
これにより、係合アーム４１を介して移動部材３が図１２の右方向に移動し、移動部材３の先端の係止部３０がロック部材６の移動阻止部６１から外れる。このため、ロック部材６は、バネ部材６３の付勢力により、図１２の時計方向つまり解錠方向に回動し、ロック部材６の係止部６２によるスライダ１８の係止が解除され、解錠される。これにより、スライダ１８は図１２の如く、挿入穴２０から引き抜かれ、或いは押し出されて解錠状態となる。
【００４０】
このように、このダイヤル式符号錠によれば、符号ダイヤル１０，１１，１２の位置に関らず、スライダ１８を挿入穴２０に挿入したとき、スライダ１８がロック部材６の係止部６２に係止されてロックされるので、ユーザーは、施錠するときを考慮して符号ダイヤル１０，１１，１２を解錠符号列に合せておかなくても、スライダ１８を差し込むだけで、簡単に施錠することができる。
【００４１】
このため、ファスナーのスライダ１８を施錠するために符号錠を鞄などに取り付けた場合、そのユーザーは、解錠した後、符号ダイヤル１０，１１，１２をランダム位置に回しておいても、何ら不便とはならない。このため、このダイヤル式符号錠を取り付けた鞄などのユーザーは、解錠した後、符号ダイヤル１０，１１，１２をランダムに回す習慣がつき、鍵をかけずに鞄などを放置し、他人に符号ダイヤルの解錠符号配列を見られたとしても、その配列は解錠符号の配列とは無関係となり、セキュリティ性を高めることができる。
【符号の説明】
【００４２】
１      錠本体
２      本体ケース
３      移動部材
４      作動軸
５      ダイヤル保持部材
６      ロック部材
７      バネ部材
８      バネ部材
９      基板
１０    符号ダイヤル
１１    符号ダイヤル
１２    符号ダイヤル
１３    ブッシュ
１４    ブッシュ
１５    ブッシュ
１８    スライダ
１８ａ  係止穴
２０    挿入穴
２１    ダイヤル用開口
２２    軸受部
２３    ボタン用開口
３０    係止部
３１    バネ保持部
３２    係合穴
４０    ボタン部
４１    係合アーム
４２    凸部
４３    係合溝
５０    ダイヤル保持部
５１    移動部材保持部
６０    支軸
６１    移動阻止部
６２    係止部
６３    バネ部材
【図１】
2018071222.tif 000003
【図２】
2018071222.tif 000004
【図３】
2018071222.tif 000005
【図４】
2018071222.tif 000006
【図５】
2018071222.tif 000007
【図６】
2018071222.tif 000008
【図７】
2018071222.tif 000009
【図８】
2018071222.tif 000010
【図９】
2018071222.tif 000011
【図１０】
2018071222.tif 000012
【図１１】
2018071222.tif 000013
【図１２】
2018071222.tif 000014